(57)【要約】【課題】  地震や火災などによる停電などの緊急時には直ぐに非常用品を取り出して使用でき、しかも内部に収容された非常用品が盗難に会う恐れがなく、設置も極めて簡単な非常用ボックスを提供する。【解決手段】  内部に非常用品が収納された本体１と、本体１の前面に開閉自在取り付けられた前面扉２と、前面扉２を施錠するロック機構３と、ロック機構３を解除する解除ボタン４とを有し、本体１には照明が消えた際に電池で作動する作動する非常回路１０とが備えられ、前面扉２は、前面に蓄光素子の表示部２ａが設けられると共に一部に内部が見える透明部２ｂが設けられ、解除ボタン４は、前面扉２の前記ロック機構３の対向する位置に取り付けられ、頭部が前面扉２の前面の保護カバー３内に配置され、保護カバー３を破って解除ボタン４を押すことによりロック機構３を解除する構成とした。【選択図】      図１
2006299532.tif 000002
【特許請求の範囲】
【請求項１】
内部に非常用品が収納された本体と、前記本体の前面に開閉自在取り付けられた前面扉と、前記前面扉を施錠するロック機構と、前記ロック機構を解除する解除ボタンとを有し、前記前面扉は、前面に蓄光素子の表示部が設けられると共に一部に内部が見える透明部が設けられ、前記解除ボタンは、前記前面扉の前記ロック機構の対向する位置に挿通自在に取り付けられ、頭部が前記前面扉の前面の保護カバー内に配置され、前記保護カバーを破って前記解除ボタンを押すことにより前記ロック機構を解除することを特徴とする非常用ボックス。
【請求項２】
内部に非常用品が収納された本体と、前記本体の前面に開閉自在取り付けられた前面扉と、前記前面扉を施錠するロック機構と、前記ロック機構を解除する解除ボタンとを有し、
前記本体には所定以上震動が発生した際に電池で作動する非常回路が備えられ、
前記前面扉は、前面に蓄光素子の表示部が設けられると共に一部に内部が見える透明部が設けられ、
前記ロック機構は、前記本体の所定の位置に取り付けられたフレームの内部にスライド可能なスライダが遊嵌され、前記スライダに係合ピンが突設されており、前記係合ピンに前面扉に回動自在に取り付けられているロック片が係合され、
前記解除ボタンは、前記前面扉の前記ロック機構の対向する位置に取り付けられ、頭部が前記前面扉の前面の保護カバー内に配置され、軸体が前記前面扉を挿通自在に貫通して取り付けられ、先端部が前記スライダに形成された斜面部に当接していることを特徴とする非常用ボックス。
【請求項３】
内部に非常用品が収納された本体と、前記本体の前面に開閉自在取り付けられた前面扉と、前記前面扉を施錠するロック機構と、前記ロック機構を解除する解除ボタンとを有し、
前記本体には所定以上震動が発生した際に電池で作動する非常回路が備えられ、
前記前面扉は、前面に蓄光素子の表示部が設けられると共に一部に内部が見える透明部が設けられ、
前記ロック機構は、前記本体の所定の位置に取り付けられたフレームの内部にスライド可能なスライダが遊嵌され、前記スライダに係合ピンが突設されており、前記係合ピンに前面扉に回動自在に取り付けられているロック片が係合され、
前記解除ボタンは、前記前面扉の前記ロック機構の対向する位置に取り付けられ、頭部が前記前面扉の前面の保護カバー内に配置され、軸体が前記前面扉を挿通自在に貫通して取り付けられ、先端部が前記スライダに形成された斜面部に当接し、
前記本体の背面には壁に引っ掛けるためのフックが取り付けられていることを特徴とする非常用ボックス。
【請求項４】
前記非常回路は、給電用の電池と、地震の震動を検知するセンサと、前記センサの出力で作動するスイッチング回路と、複数の照明用発光素子と、前記解除ボタンの周囲を発光させるフラッシュ用発光素子と、前記発光素子をフラッシュ発光させるためのフラッシュ回路と、警報を発する警報機と、前記警報機を解除するリセットスイッチと、が備えられたことを特徴とする請求項１乃至請求項３に記載の非常用ボックス。
【請求項５】
内部に非常用品が収納された本体と、前記本体の前面に開閉自在取り付けられた前面扉と、前記前面扉を施錠するロック機構と、前記ロック機構を解除する解除ボタンとを有し、前記前面扉は、前面に蓄光素子の表示部が設けられると共に一部に内部が見える透明部が設けられ、前記解除ボタンは、前記前面扉の前記ロック機構の対向する位置に挿通自在に取り付けられ、頭部が前記前面扉の前面の保護カバー内に配置され、前記保護カバーを破って前記
解除ボタンを押すことにより前記ロック機構を解除することを特徴とする学校セフティボックス。
【請求項６】
前記解除ボタンが操作されたときには外部の警備会社または警察部署に異常を連絡する通信機構が内蔵されていることを特徴とする請求項５に記載の学校セフティボックス。
【発明の詳細な説明】
【技術分野】
【０００１】
本発明は、緊急事態が発生した際に使用する非常用具が収納された非常用ボックスに関し、特に、暗闇の中でも瞬時に懐中電灯などの照明具の保管場所が表示される非常用ボックスに関する。また、不審者の侵入に対する防禦のための各教室や廊下などに設置する学校セフティボックスに関する。
【背景技術】
【０００２】
多くの人が集まる官庁、市役所、病院などの公共施設、百貨店、オフィスビル、マンションなどの建築物には、地震や火災などの緊急事態が発生した際には、非常時の非難経路を示す誘導灯が設けられているが、停電により誘導灯以外の照明が消えた場合に足元が暗くなり、安全に避難が行えなくなる恐れがあった。また、学校への不審者の侵入などによる学童への被害が多発している現状である。
【０００３】
そこで、このような非常時に、照明が消えても安全に非難ができるように、特開平８−８７９０８号公報（特許文献１）に示すような非常灯ボックスがあった。この非常灯ボックスは、前面が開口する箱体の内部に第１空間と第２空間を形成し、前記第１空間に発光体を収納し、光透過性を有するサインプレートで第１空間の開口部を覆い、第２空間に懐中電灯を着脱自在に収納し、箱体に開閉自在に取り付けた蓋板で第２空間の開口部を覆ったものである。
【０００４】
【特許文献１】特開平８−８７９０８号公報第１頁
【発明の開示】
【発明が解決しようとする課題】
【０００５】
しかしながら、上述した従来の非常灯ボックスにおいては、非常時に照明が消えても、非常用回路に接続された発光体が点灯し、サインプレートに描かれた表示が浮き上がり、懐中電灯の所在が容易にわかり、直ぐに懐中電灯を取り出して使用できるものの、この非常灯ボックスを不特定多数の人が訪れる病院などの公共施設、百貨店、オフィスビルなどに設置した場合には、簡単に懐中電灯が取り出せるので、盗難に遭う恐れがあった。
【０００６】
また、発光体は非常時に照明が消えても電源が供給されるようにするには、誘導灯と同じ建物の非常用回路の電源に接続する必要があるので、建物側の工事が必要になり、取り付けが面倒になるという問題があった。そのため、非常灯ボックスを他の場所に移動して設置したり、非常灯ボックスを増やして設置することは簡単にできないという問題もあった。
【０００７】
また、学校などにおいて突然の不審者の侵入に対して、撃退するものが身近にない場合が多く、学校側の対応は非難するしか方法がとれなかった。一般に不審者は凶器を携帯している場合が多く、これに対応できる処置が学校側には用意されていなかった。更に、学校の各教室に警報システム機器を設置しているところは僅かな状態であった。
【０００８】
本発明は、上述した従来の問題に鑑みなされたもので、地震や火災などによる停電などの緊急時には直ぐに非常用品を取り出して使用でき、しかも内部に収容された非常用品が盗難に遭う恐れがなく、設置も極めて簡単な非常用ボックスを提供するものである。
また、学校の安全ボックスとして、不審者を撃退できる物品などを収納できるボックスを消火器などと同様に廊下などに配置することが望まれる。
【課題を解決するための手段】
【０００９】
本発明は、上記課題を解決するため、内部に非常用品が収納された本体と、前記本体の前面に開閉自在取り付けられた前面扉と、前記前面扉を施錠するロック機構と、前記ロック機構を解除する解除ボタンとを有し、前記前面扉は、前面に蓄光素子の表示部が設けられると共に一部に内部が見える透明部が設けられ、前記解除ボタンは、前記前面扉の前記ロック機構の対向する位置に挿通自在に取り付けられ、頭部が前記前面扉の前面の保護カバー内に配置され、前記前面扉を破って前記解除ボタンを押すことにより前記ロック機構を解除することを特徴とするものである。
【００１０】
また、本発明の非常用ボックスは、内部に非常用品が収納された本体と、前記本体の前面に開閉自在取り付けられた前面扉と、前記前面扉を施錠するロック機構と、前記ロック機構を解除する解除ボタンとを有し、前記本体には所定以上の振動が発生した際に電池で作動する非常回路が備えられ、前記前面扉は、前面に蓄光素子の表示部が設けられると共に一部に内部が見える透明部が設けられ、前記ロック機構は、前記本体の所定の位置に取り付けられたフレームの内部にスライド可能なスライダが遊嵌され、前記スライダに係合ピンが突設されており、前記係合ピンに前面扉に回動自在に取り付けられているロック片が係合され、前記解除ボタンは、前記前面扉の前記ロック機構の対向する位置に取り付けられ、頭部が前記前面扉の前面の保護カバー内に配置され、軸体が前記前面扉を挿通自在に貫通して取り付けられ、先端部が前記スライダに形成された斜面部に当接していることを特徴とするものである。
【００１１】
また、本発明の非常用ボックスは、内部に非常用品が収納された本体と、前記本体の前面に開閉自在取り付けられた前面扉と、前記前面扉を施錠するロック機構と、前記ロック機構を解除する解除ボタンとを有し、前記本体には所定以上の振動が発生した際に電池で作動する非常回路が備えられ、前記前面扉は、前面に蓄光素子の表示部が設けられると共に一部に内部が見える透明部が設けられ、前記ロック機構は、前記本体の所定の位置に取り付けられたフレームの内部にスライド可能なスライダが遊嵌され、前記スライダに係合ピンが突設されており、前記係合ピンに前面扉に回動自在に取り付けられているロック片が係合され、前記解除ボタンは、前記前面扉の前記ロック機構の対向する位置に取り付けられ、  頭部が前記前面扉の前面の保護カバー内に配置され、軸体が前記前面扉を挿通自在に貫通して取り付けられ、先端部が前記スライダに形成された斜面部に当接し、前記本体の背面には壁に引っ掛けるためのフックが取り付けられていることを特徴としている。
【００１２】
さらに、本発明の非常用ボックスにおける前記非常回路は、給電用の電池と、地震などの振動を検知するセンサと、前記センサの出力で作動するスイッチング回路と、複数の照明用発光素子と、前記解除ボタンの周囲を発光させるフラッシュ用発光素子と、前記フラッシュ用発光素子をフラッシュ発光させるためのフラッシュ回路と、警報を発する警報機と、前記警報機を解除するリセットスイッチと、が備えられたものである。また、この警報機に連動して外部の警備会社または警察部署に連絡する通信機構を内蔵してある。
【００１３】
本発明の学校セフティボックスは、前記のような非常用品の他に、警笛やカラーマーキングボール、催涙スプレー等を収納することもでき、更に、折たたみ式の撃退棒、防禦衝立板をコンパクトに収納することもできる。学校の各教室や、廊下に配置し、不審者の撃退用だけではなく,町内の緊急避難の非常時にも使用できる。
【発明の効果】
【００１４】
本発明は、地震発生で停電が生じても、蓄光素子の表示部と非常回路の警報機で非常用ボックスの存在が簡単にわかるので、収納された非常用品である携帯電灯などを使用して安全に避難できるものである。
また、本発明の非常用ボックスは、ロック機構により、盗難防止ができると共に、緊急時にはこのロックを簡単に解除できるので、非常に使い勝手の良い非常用ボックスを提供できる。
また、内部の電池で作動する非常回路が備えられており、外部との配線の必要がなく、場所を選らばないでどんな場所にも簡単に設置することができる。しかも、背面には室内の壁面に設けた掛金具に設置する壁掛用フックが取り付けられていればどこでも簡易に配置することができる。
【００１５】
学校内に配置した場合、身近に居る生徒が押しボタンを押圧することにより警報が発生し、不審者の行動に対する抑制効果を発揮する。また、警笛を鳴らし周囲に異常を早く知らしめることができる。同時に外部の警備会社などに通信連絡することにより緊急に対応することができる。また、逃亡する不審者に対してカラーマーキングボールなどによってインクマークをつけることもできる。更に、催涙スプレーは凶器を携帯した不審者を退治するときに有効である。
【発明を実施するための最良の形態】
【００１６】
本発明に係る非常用ボックスの最良の形態を図面に基づき参照して説明する。
図１は本発明の非常用ボックスを示す斜視図、図２は図１の非常用ボックスの前面扉を開いた状態を示す斜視図、図３は図１の非常用ボックスの側面図、図４は図１の非常用ボックスに収納されるラジオ付き懐中電灯を示す斜視図、図５は図１の非常用ボックスの非常回路を示す回路図、図６は図１の非常用ボックスのロック機構を示す断面図、図７は図５のロック機構の動作を示す斜視図、図８は他の実施の形態の斜視図である。
【００１７】
本発明に係る非常用ボックスは、図１乃至図３に示すように、内部に非常用品である高輝度懐中電灯や手動発電式のラジオ付きの災害用懐中電灯などが収納できる本体１と、前記本体１の前面に開閉自在取り付けられた前面扉２と、前記前面扉２を施錠するロック機構３と、前記ロック機構を解除する解除ボタン４と、を有している。この本体１には後述するように地震時において電池で自動的に作動する非常回路１０を配設することもできる。
【００１８】
この非常用ボックスに使用される本体１は、金属より前面開口された堅牢な箱体に形成されたもので、上部に棚が形成され電池ボックス１ａが設けられている。この電池ボックス１ａには開閉式の扉が設けられており、電池を交換できるようになっている。さらに、電池ボックス１ａの中には後述する非常回路１０が格納されている。そして、この非常回路１０に組み込まれている警報器１４の解除ボタン１５が電池ボックス１ａの扉に突設されている。そして、この本体１の背面には壁掛け用のフック１ｃが設けられている。
【００１９】
この本体１の下部には非常用品の収納室１ｂが形成されており、この収納室１ｂには非常用品である高輝度懐中電灯６や手動発電式の多機能災害用懐中電灯７が収納されている。高輝度懐中電灯６は単１の乾電池を４本以上を使用した高輝度で防水機能の大型の懐中電灯である。多機能災害用懐中電灯７は、図４に示すように、回転可能なハンドル７ａを備えており、このハンドル７ａを手で回すことにより内部の発電機７ｂが発電し、図示しないバッテリに蓄電され、ランプ７ｃを点灯させると共に内部のラジオ７ｄを動作させるように構成されたものである。従って、懐中電灯６の乾電池が消耗して使用不可能になった場合は、この多機能災害用懐中電灯７を使用できるものである。また、この多機能災害用懐中電灯７には携帯電話の充電用の端子も備えており、誰でも簡単に操作できるようになっている。さらに、この収納室１ｂには、高輝度懐中電灯６や多機能災害用懐中電灯７以外の災害用装備品を収納できることは勿論であり、例えば、救急薬品や非常用ハンマー、或いは防火グローブや酸素ボンベなどの備品を収納できるものである。
【００２０】
この本体１に取り付けられた前面扉２は、前面上部に蓄光素子の表示部２ａが設けられると共に下部にアクリル等の透明な板により内部の収納物が見える透明部２ｂが設けられている。この前面扉２は、本体１にヒンジ２ｃ，２ｃにより開閉自在に取り付けられている。また、この前面扉２の内側には後述する非常回路１０の発光素子のＬＥＤ１４，１４，１４，１４が四隅に取り付けられている。このＬＥＤ１４は非常時の照明が消えた時に自動的に点灯して非常用ボックスの場所を示すと共に内部を照明するものである。さらに、図１に示すように、この前面扉２には、後述するロック機構３の対向する位置に保護カ
バー８が取り付けられており、この中心部には解除ボタン４の頭部４ｂが配置されている。そして、この解除ボタン４の頭部４ｂの周囲には、後述するフラッシュ用ＬＥＤが取り付けられており、非常時にフラッシュ発光して解除ボタン４の位置を知らせるようにしている。
【００２１】
前面扉２に取り付けられている表示部２ａは、公知の蓄光体の材料と塗料とを練り合わせてインキ状にしたものをパネルに塗布して貼りつけたものである。この表示部２ａには、非常時に内部の非常用品が何であるか、直ぐわかるように、蓄光体で例えば「非常用ライト」という文字と懐中電灯の絵が書かれている。この表示部２ａの蓄光体は、照明の光エネルギーを蓄えることで、照明が無い暗所中において発光するもので、照明が消えてから十分以上は発光を続けるものである。そのため、非常時において、照明が消えてから非常用の懐中電灯を探すのは通常は１分以内であり、長くても数分以内であるため、要求に十分満足するものである。
【００２２】
非常回路１０は、図５に示すように、給電用の電池１１と、地震の振動を検知するセンサ１２と、前記センサ１２の出力で作動するスイッチング回路１３と、照明用発光素子である４個のＬＥＤ１４，１４，１４，１４と、解除ボタン４の周囲を発光させるフラッシュ用ＬＥＤ１５と、このＬＥＤ１５をフラッシュ発光させるためのフラッシュ回路１６と、警報を発する警報機１７と、この警報機１７を解除するリセットスイッチ１８と、が備えられたものである。    
【００２３】
電池１１は通常、長寿命タイプの乾電池を使用するが、定期的（１回／年）に交換するようにしている。そのため、前面扉２には次回の乾電池の交換日を表示したシールを貼り付けておき、誰でもわかるようにしてある。また、振動を検知するセンサ１２は、圧電素子などを使用した公知の加速度センサであり、設定した強さの振動があった場合には、このセンサ１２から信号がスイッチング回路１３に出力されるものである。スイッチング回路１３はスイッチング用トランジスタを使用した公知の回路であり、センサ１２から信号が入力した場合にスイッチング用トランジスタがオン状態となり、メイン回路１９が導通するように構成したものである。
【００２４】
このように構成された非常回路１０は、地震などが発生した場合には、センサ１２で検知されてから信号がスイッチング回路１３に出力される。するとスイッチング回路１３のトランジスタがオンとなりメイン回路１９に電流が流れるので、ＬＥＤ１４が点灯すると共に解除ボタン４のＬＥＤ１５がフラッシュ発光し、警報機１７が鳴るものである。従って、例えば、夜間に強い地震が発生して停電になった場合にも、非常回路１０の動作でＬＥＤ１４が点灯してＬＥＤ１５がフラッシュ発光し、警報機１７が鳴るので、非常用ボックスの位置が直ぐわかるものである。
【００２５】
また、地震以外の振動、例えば、故意に前面扉２の保護カバー２ｄを破って前面扉２を開けようとした場合には、その衝撃や振動をセンサ１２が検知するので、スイッチング回路１３がオン状態となりメイン回路１９に電流が流れるので、ＬＥＤ１４が点灯して解除ボタン４のＬＥＤ１５がフラッシュ発光し、警報機１７が鳴るものである。従って、例えば、夜間にいたずらや盗難のために非常用ボックスを開けて、中の災害用備品を取り出すことを防止できるものである。  
【００２６】
また、本体１と前面扉２を施錠するロック機構３は、図６に示すように、フレーム３ａの内部にスライド可能なスライダ３ｂが遊嵌されている。このスライダ３ｂに係合ピン３ｃが突設されており、この係合ピン３ｃに前面扉２に回動自在に取り付けられているロック片５が係合されている。このロック片５が係合ピン３ｃに係合することにより、本体１に前面扉２が施錠された状態になる。
【００２７】
また、前記スライダ３ｂには斜めに形成された斜面部３ｄが設けられており、この斜面部３ｄに解除ボタン４の先端部４ａが当接している。図７（ａ）に示すように、この状態では、本体１に前面扉２が施錠された状態である。ところが、非常事態となり、解除ボタン４の保護カバー８を破って解除ボタン４を押すと、解除ボタン４の先端部４ａが当接している斜面部３ｄを押すので、図７（ｂ）に示すように、スライダ３ｂは図中右方向へ移動する。すると、スライダ３ｂと一体の係合ピン３ｃも右へ移動するので、係合ピン３ｃロック片５の係合関係から外れてしまう。即ち、前面扉２は本体１から解錠された状態になる。従って、前面扉２を開いて本体１の中から直ぐに非常用品を取り出せるものである。
【００２８】
尚、非常用ボックスの電池交換などの定期点検で、この非常用ボックスの管理者が前面扉２を開ける場合には、図１に示すように、開閉用の鍵穴９があり、所定の鍵を使用して前面扉２を開けることができるようになっている。この場合にも開閉動作の振動で非常回路１０が動作して、警報機１７が鳴る場合があるので、その時は、図２に示す電池ボックス１ａの扉に突出しているリセットスイッチ１８を押して警報機１７を止めるものである。
【００２９】
このように構成された非常用ボックスは、地震発生で停電が生じても、蓄光素子の表示部と非常回路の警報機で非常用ボックスの存在が簡単にわかるので、収納された非常用品を使用して安全に避難できるものである。
また、ロック機構により、盗難防止ができると共に、緊急時にはこのロックを簡単に解除できるので、非常に使い勝手の良い非常用ボックスを提供できる。
さらに、内部の電池で作動する非常回路が備えられており、壁掛用フックが取り付けられているので、外部との配線の必要がなく、場所を選ばずどんな場所にも簡単に設置することができるものである。定期的に電池を交換する場合は、管理人がキーを操作して扉を開けて電池の交換が可能である。
【００３０】
尚、本発明の非常用ボックスは、上述した実施の形態に限定されるものではなく、特許請求の範囲内において様々な態様が可能なことは勿論である。
例えば、電池は乾電池に限らず充電可能なバッテリを使用してもよいし、燃料電池を配備してもよい。このスイッチング回路はリレーなどを使用してよいことは勿論である。更に、外部の警備会社などへ通信連絡できる電子回路を内蔵すれば、１１０番の電話連絡をしなくても良い。
【００３１】
図８に示す学校セフティボックスの実施形態で、電灯の他にカラーマーキングボール、警笛を収納してある。撃退棒は折たたみ式で収納しているときは折りたたみ、使用時には伸張して使用するものとする。
【図面の簡単な説明】
【００３２】
【図１】本発明の非常用ボックスを示す斜視図である。
【図２】図１の非常用ボックスの前面扉を開いた状態を示す斜視図である。
【図３】図１の非常用ボックスを示す側面図である。
【図４】図１の非常用ボックスに収納されるラジオ付き懐中電灯を示す斜視図である。
【図５】図１の非常用ボックスの非常回路を示す回路図である。
【図６】図１の非常用ボックスのロック機構を示す断面図である。
【図７】図６のロック機構の動作を示すもので、（ａ）は施錠状態を示す斜視図、（ｂ）は解錠状態を示す斜視図である。
【図８】本発明の学校セフティボックスの実施の形態の斜視図である。
【符号の説明】
【００３３】
１      本体
１ａ    電池ボックス
１ｂ    収納室
１ｃ    フック
２      前面扉
２ａ    表示字部
２ｂ    透明部
２ｃ    ヒンジ
２ｄ    保護カバー
３      ロック機構
３ａ    フレーム
３ｂ    スライダ
３ｃ    係合ピン
３ｄ    斜面
４      解除ボタン
４ａ    先端部
５      ロック片
６      懐中電灯
７      ラジオ付き懐中電灯
７ａ    ハンドル
７ｂ    発電機
７ｃ    ランプ
８      保護カバー
９      鍵穴
１０      非常回路
１１      電池
１２      センサ
１３      スイッチング回路
１４      ＬＥＤ（照明用発光素子）
１５      ＬＥＤ（フラッシュ用発光素子）
１６      フラッシュ回路
１７      警報器
１８      リセットスイッチ
１９      メイン回路
２０      カラーボール
２１      防禦器具
【図１】
2006299532.tif 000003
【図２】
2006299532.tif 000004
【図３】
2006299532.tif 000005
【図４】
2006299532.tif 000006
【図５】
2006299532.tif 000007
【図６】
2006299532.tif 000008
【図７】
2006299532.tif 000009
【図８】
2006299532.tif 000010